【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
装置であって、
ａ）ハンドルであって、
ｂ）該ハンドルは、複数の非平行な軸に沿って同時に可動である少なくとも１つの可動部材と、該装置と該可動部材との間に配置された少なくとも１つの柔軟性のある部材とを備え、該柔軟性のある部材は該可動部材が該装置に関して該複数の非平行な軸に沿って動くことを可能にし、該可動部材および該柔軟性のある部材は該装置に加えられる力の向きを変える、ハンドルと、
ｃ）該装置に加えられる力を変換する、該装置と連絡するセンサであって、
ｄ）該柔軟性のある部材および該可動部材は、該装置に加えられる多軸方向の力を、該複数の非平行な軸に沿って、該センサに単一軸方向の力として直接的に伝送する向きを変えるもの（ｓｈｕｎｔ）として働く、センサと、
ｅ）該ハンドルに取り付けられ、運動中に情報を表示するディスプレイと、
ｆ）該装置内に組み込まれ、該運動のパラメータを扱う制御システムと
を備えている、装置。
【請求項２】
前記装置に加えられる力は、ＦＧ＝ＦＢ１＋ＦＳ＋ＦＢｕ−２ＦＰとして説明される、請求項１に記載の装置。
【請求項３】
前記センサに加えられる力は、ＦＳ＝（ＦＧ＋２ＦＰ）／Ｃｔ’として説明される、請求項１に記載の装置。
【請求項４】
前記装置は、等尺運動装置である、請求項１に記載の装置。
【請求項５】
前記柔軟性のある部材は、少なくとも上部の柔軟性のある部材と、中央部の柔軟性のある部材と、下部の柔軟性のある部材とから成り、該中央部の柔軟性のある部材のみが前記センサに前記力を直接的に伝送する、請求項１に記載の装置。
【請求項６】
前記装置は、前記センサに力を直接的に伝送するために、複数の力の向きを変える（ｓｈｕｎｔ）部材を用いる、請求項１に記載の装置。
【請求項７】
装置であって、
ａ）ハンドルであって、
ｂ）該ハンドルは、複数の軸に沿って同時にスライド可能である少なくとも１つの可動部材と、該装置と該可動部材との間に配置された少なくとも１つの柔軟性のある部材とを備え、該柔軟性のある部材は、少なくとも上部の柔軟性のある部材と、中央部の柔軟性のある部材と、下部の柔軟性のある部材とから成り、該可動部材が該装置に関して該複数の軸に沿って動くことを可能にし、該可動部材および該柔軟性のある部材は該装置に加えられる力の向きを変える、ハンドルと、
ｃ）該装置に加えられる力を変換する、該装置と連絡するセンサであって、
ｄ）該柔軟性のある部材および該可動部材は、異なる方向に沿って該装置にスライド可能に加えられる力を、直接的に該センサに単一軸方向の力として伝送する向きを変えるもの（ｓｈｕｎｔ）として働く、センサと、
ｅ）該ハンドルに取り付けられ、運動中に情報を表示するディスプレイと、
ｆ）該装置内に組み込まれ、該運動のパラメータを扱う制御システムと
を備え、該中央部の柔軟性のある部材のみが、該センサに該力を直接的に伝送する、装置。
【請求項８】
前記柔軟性のある部材は、少なくとも上部の柔軟性のある部材と、中央部の柔軟性のある部材と、下部の柔軟性のある部材とから成り、該上部の柔軟性のある部材、該中央部の柔軟性のある部材、該下部の柔軟性のある部材の各々は、前記センサに前記力を伝送する、請求項１に記載の装置。
【請求項９】
前記装置は、人体の筋肉または筋肉の群の等尺収縮を測定する装置である、請求項１に記載の装置。
【請求項１０】
前記等尺運動は、理学療法または理学療法の群の一形態である、請求項４に記載の装置。
【請求項１１】
前記装置は、運動を実行している人物に可聴キューを提供する、請求項１に記載の装置。
【請求項１２】
前記等尺運動装置は、等尺収縮中に前記ハンドルと接触している手の実質的にすべての領域にわたり負荷を分配することによって、該ハンドルの圧縮の維持可能期間の増加を可能にする、請求項４に記載の装置。
【請求項１３】
前記等尺運動装置は、通信方法によって遠隔のシステムに前記パラメータを通信する、請求項４に記載の装置。
【請求項１４】
前記等尺運動装置は、酸化窒素の生成を引き起こすプロトコルを実行する装置である、請求項４に記載の装置。
【請求項１５】
前記等尺運動装置は、安静時の心臓収縮期血圧および心臓拡張期血圧を下げるプロトコルを実行する装置である、請求項４に記載の装置。
【請求項１６】
前記等尺運動装置は、副交感神経の活動を増加させるプロトコルを実行する装置である、請求項４に記載の装置。
【請求項１７】
前記等尺運動装置は、末梢動脈機能を改善するプロトコルを実行する装置である、請求項４に記載の装置。
【請求項１８】
前記装置は、ハンドヘルド装置である、請求項１に記載の装置。
【請求項１９】
前記柔軟性のある部材は、圧縮部材である、請求項１に記載の装置。
【請求項２０】
前記柔軟性のある部材は、スプリング、弾性のあるバンパ、空気嚢、または被包性流体のうちの少なくとも１つである、請求項１に記載の装置。
【請求項２１】
前記柔軟性のある部材は、部分的にスリーブ内に収納され、前記装置と該柔軟性のある部材との間の摩擦を減少させる、請求項１に記載の装置。
【請求項２２】
前記柔軟性のある部材は、部分的にスリーブ内に収納され、動作範囲を限定する、請求項１に記載の装置。
【請求項２３】
前記可動部材は、さらに、回転の動きが可能であり、前記複数の非平行な軸は、横方向、長手方向、および垂直方向の各々に沿って延びる、請求項１に記載の装置。
【請求項２４】
前記装置は、前記可動部材を備えている後部部材を備えている、請求項１に記載の装置。
【請求項２５】
前記装置は、固定された部材を備えている前部部材を備えている、請求項１に記載の装置。
【請求項２６】
前記可動部材は、堅いコアおよび柔らかいシェルを備えている、請求項１に記載の装置。
【請求項２７】
前記堅いコアは、合成物質、金属、または天然繊維から成る群から選択される、請求項２６に記載の装置。
【請求項２８】
前記柔らかいシェルは、ゴムまたは発泡体を含む合成物質と、天然繊維とから成る群から選択される、請求項２６に記載の装置。
【請求項２９】
前記固定された部材は、堅いコアおよび柔らかいシェルを備えている、請求項２５に記載の装置。
【請求項３０】
前記堅いコアは、合成物質、金属、または天然繊維から成る群から選択される、請求項２９に記載の装置。
【請求項３１】
前記柔らかいシェルは、合成物質および天然繊維から成る群から選択される、請求項２９に記載の装置。
【請求項３２】
前記合成物質はゴムまたは発泡体を含む、請求項３１に記載の装置。
【請求項３３】
前記センサは、ロードセルを備えている、請求項１に記載の装置。
【請求項３４】
前記センサは、前記可動部材に加えられる力に基づき出力信号を生成する、請求項１に記載の装置。
【請求項３５】
少なくとも１つの知覚可能なインディシアをさらに備え、該知覚可能なインディシアは、出力信号に相関する信号を表示する、請求項１に記載の装置。
【請求項３６】
前記知覚可能なインディシアは、視覚表示、可聴信号および触覚信号のうちの少なくとも１つを含む、請求項３５に記載の装置。
【請求項３７】
前記触覚信号は、振動およびフィードバック力のうちの少なくとも１つを含む、請求項３６に記載の装置。
【請求項３８】
前記後部部材は、ゴム加工された表面を含んで構成され、ユーザの手の上の点圧力を最小にするように構成される、請求項２４に記載の装置。
【請求項３９】
前記前部部材は、ゴム加工された表面を含んで構成され、ユーザの手の上の点圧力を最小にするように構成される、請求項２５に記載の装置。
【請求項４０】
ユーザによって等尺運動を実行する方法であって、
ａ）装置を提供するステップであって、該装置は、ハンドルを備え、該ハンドルは複数の非平行な軸に沿って同時に可動である少なくとも１つの可動部材と、該装置の固定された部材と該可動部材との間に配置された少なくとも１つの柔軟性のある部材とを備え、該柔軟性のある部材は該可動部材が該装置の該固定された部材に対して該複数の非平行な軸に沿って動くことを可能にし、該可動部材および該柔軟性のある部材は該複数の非平行な軸に沿った該装置に加えられる多軸方向の力を、該装置および該柔軟性のある部材と連絡する少なくとも１つのセンサに直接的に切り替え、該センサは該可動部材に加えられる力に基づいて出力信号を生成する、ステップと、
ｂ）該装置の各使用の開始時に運動養生法を選択するステップと、
ｃ）該可動部材への該ユーザの手の最大圧搾力（ＭＳＦ）を測定するステップと、
ｄ）該最大圧搾力の該測定値を記録するステップと、
ｅ）該ユーザが有する使用可能な時間量（Ｔ）を入力するステップと、
ｆ）該記録された最大圧搾力（ＭＳＦ）および該ユーザが有する使用可能な時間量（Ｔ）に基づいて部分的圧搾力（ＦＳＦ）を計算するステップと、
ｇ）設定された時間（Ｔ１）の間、該部分的圧搾力（ＦＳＦ）になるまで圧搾するよう該ユーザに指示するステップと、
ｈ）第２の設定された時間（Ｔ２）の間、静止時圧搾力（ＲＳＦ）になるまで圧搾するよう該ユーザに指示するステップであって、該静止時圧搾力（ＲＳＦ）は０であるかまたは０ではない、ステップと、
ｉ）該ユーザが有する使用可能な時間量（Ｔ）の間、ステップ（ｇ）および（ｈ）を繰り返すステップと、
ｊ）該第２の設定された時間（Ｔ２）の間、該部分的圧搾力（ＦＳＦ）に戻るステップと、
ｋ）０圧搾力（ＺＳＦ）にするよう該ユーザに指示するステップと
を包含する、方法。
【請求項４１】
前記方法は、運動の遂行中、前記ＭＳＦ、ＦＳＦ、ＲＳＦ、またはＴの変更を可能にする、請求項４０に記載の方法。
【請求項４２】
ユーザの安静時の心臓収縮期血圧および心臓拡張期血圧を下げる方法であって、
ａ）装置を提供するステップであって、該装置は、ハンドルを備え、該ハンドルは複数の非平行な軸に沿って同時に可動である少なくとも１つの可動部材と、該装置の固定された部材と該可動部材との間に配置された少なくとも１つの柔軟性のある部材とを備え、該柔軟性のある部材は該可動部材が該装置の該固定された部材に対して該複数の非平行な軸に沿って動くことを可能にし、該可動部材および該柔軟性のある部材は、該複数の非平行な軸に沿った該装置に加えられる多軸方向の力を該装置および該柔軟性のある部材と連絡する少なくとも１つのセンサに直接的に切り替え、該センサは該可動部材に加えられる力に基づいて出力信号を生成し、該柔軟性のある部材は、少なくとも上部の柔軟性のある部材と、中央部の柔軟性のある部材と、下部の柔軟性のある部材とからなり、該中央部の柔軟性のある部材のみが該力を該センサに直接的に伝送する、ステップと、
ｂ）該装置の各使用の開始時に選択する運動養生法のオプションのメニューを提供するステップと、
ｃ）該可動部材への該ユーザの手の最大圧搾力（ＭＳＦ）を測定するステップと、
ｄ）該最大圧搾力の該測定値を記録するステップと、
ｅ）該ユーザが有する使用可能な時間量（Ｔ）を入力するステップと、
ｆ）該記録された最大圧搾力（ＭＳＦ）および該ユーザが有する使用可能な時間量（Ｔ）に基づいて部分的圧搾力（ＦＳＦ）を計算するステップと、
ｇ）設定された時間（Ｔ１）の間、該部分的圧搾力（ＦＳＦ）になるまで圧搾するよう該ユーザに指示するステップと、
ｈ）第２の設定された時間（Ｔ２）の間、静止時圧搾力（ＲＳＦ）になるまで圧搾するよう該ユーザに指示するステップであって、該静止時圧搾力（ＲＳＦ）は０である、ステップと、
ｉ）該ユーザが有する使用可能な時間量（Ｔ）の間、ステップ（ｇ）および（ｈ）を繰り返すステップと、
ｊ）第２の設定された時間（Ｔ２）の間、該部分的圧搾力（ＦＳＦ）に戻るステップと、
ｋ）０圧搾力（ＺＳＦ）にするよう該ユーザに指示するステップと
を包含する、方法。
【請求項４３】
前記方法は、運動の遂行中、前記ＭＳＦ、ＦＳＦ、ＲＳＦ、またはＴの変更を可能にする、請求項４２に記載の方法。
【請求項４４】
ユーザの安静時の心臓収縮期血圧および心臓拡張期血圧を下げる方法であって、以下の
ａ）該方法の各使用の開始時に運動養生法を選択するステップと、
ｂ）該ユーザの手の最大圧搾力（ＭＳＦ）を測定するステップと、
ｃ）該最大圧搾力の該測定を記録するステップと、
ｄ）該ユーザが有する使用可能な時間量（Ｔ）を入力するステップと、
ｅ）該記録された最大圧搾力（ＭＳＦ）および該ユーザが有する使用可能な時間量（Ｔ）に基づいて部分的圧搾力（ＦＳＦ）を計算するステップと、
ｆ）設定された時間（Ｔ１）の間、該部分的圧搾力（ＦＳＦ）になるまで圧搾するよう該ユーザに指示するステップと、
ｇ）第２の設定された時間（Ｔ２）の間、静止時圧搾力（ＲＳＦ）になるまで圧搾するよう該ユーザに指示するステップであって、該静止時圧搾力（ＲＳＦ）は０であるかまたは０ではない、ステップと、
ｈ）該ユーザが有する使用可能な時間量（Ｔ）の間、ステップ（ｆ）および（ｇ）を繰り返すステップと、
ｉ）第２の設定された時間（Ｔ２）の間、該部分的圧搾力（ＦＳＦ）に戻るステップと、
ｊ）０圧搾力（ＺＳＦ）にするよう該ユーザに指示するステップと
を包含する、方法。
【請求項４５】
前記方法は、運動の遂行中、前記ＭＳＦ、ＦＳＦ、ＲＳＦ、またはＴの変更を可能にする、請求項４４に記載の方法。
【請求項４６】
ユーザの安静時の心臓収縮期血圧および心臓拡張期血圧を下げる方法であって、以下の
ａ）該方法の各使用の開始時に運動養生法を選択するステップと、
ｂ）該ユーザの手の最大圧搾力（ＭＳＦ）を測定するステップと、
ｃ）該最大圧搾力の該測定値を記録するステップと、
ｄ）該ユーザが及ぼしたいと望む力のレベル（ＬＦ）を入力するステップと、
ｅ）該記録された最大圧搾力（ＭＳＦ）および該力のレベル（ＬＦ）に基づいて部分的圧搾力（ＦＳＦ）を計算するステップと、
ｆ）設定された時間（Ｔ１）の間、該部分的圧搾力（ＦＳＦ）になるまで圧搾するよう該ユーザに指示するステップと、
ｇ）第２の設定された時間（Ｔ２）の間、静止時圧搾力（ＲＳＦ）になるまで圧搾するよう該ユーザに指示するステップであって、該静止時圧搾力（ＲＳＦ）は０であるかまたは０ではない、ステップと、
ｈ）時間量（Ｔ）の間、ステップ（ｆ）および（ｇ）を繰り返すステップと、
ｉ）該第２の設定された時間（Ｔ２）の間、該部分的圧搾力（ＦＳＦ）に戻るステップと、
ｊ）０圧搾力（ＺＳＦ）にするよう該ユーザに指示するステップと
を包含する、方法。
【請求項４７】
前記方法は、運動の遂行中、前記ＭＳＦ、ＦＳＦ、ＲＳＦ、またはＴの変更を可能にする、請求項４６に記載の方法。
【請求項４８】
前記ユーザの手の最大圧搾力（ＭＳＦ）を測定するステップは、該ユーザの両手の最大圧搾力（ＭＳＦ）を測定することを包含する、請求項４０に記載の方法。
【請求項４９】
前記ユーザに指示するステップは、音声および／または視覚のプロンプトによって該ユーザに指示することを包含する、請求項４０に記載の方法。
【請求項５０】
前記繰り返すステップ（ｈ）は、設定された回数の繰り返し（Ｒ）で前記ステップを繰り返すことを包含する、請求項４４に記載の方法。
【請求項５１】
前記ステップ（ｂ）は、時間（ｔ）の関数として、前記ユーザの手の前記最大圧搾力（ＭＳＦ）を測定することを含み、前記ステップ（ｃ）は、時間の関数としての該最大圧搾力（ＭＳＦ／ｔ）を記録することを含む、請求項４６に記載の方法。
【請求項５２】
前記部分的圧搾力（ＦＳＦ）は可変である、請求項５１に記載の方法。
【請求項５３】
前記ユーザの手の最大圧搾力（ＭＳＦ）を測定するステップは、該ユーザの両手の最大圧搾力（ＭＳＦ）を測定することを包含する、請求項４２に記載の方法。
【請求項５４】
前記ユーザに指示するステップは、音声および／または視覚のプロンプトによって該ユーザに指示することを包含する、請求項４２に記載の方法。
【請求項５５】
前記繰り返すステップ（ｈ）は、設定された回数の繰り返し（Ｒ）で前記ステップを繰り返すことを包含する、請求項４６に記載の方法。
【請求項５６】
前記柔軟性のある部材は、それぞれ、弾性のあるバンパを備えている、請求項５に記載の装置。
【請求項５７】
前記柔軟性のある部材は、それぞれ、被包性流体を含む、請求項５に記載の装置。
【請求項５８】
装置であって、
ａ）ハンドルであって、
ｂ）該ハンドルは、
複数の軸に沿って同時に可動である少なくとも１つの可動部材であって、該複数の軸は、互いに対して、垂直方向、横方向および長手方向に延びている、少なくとも１つの可動部材と、
該装置と該可動部材との間に配置された少なくとも１つの柔軟性のある部材
とを備え、該柔軟性のある部材は該可動部材が該装置に関して該複数の軸に沿って動くことを可能にし、該可動部材および該柔軟性のある部材は該装置に加えられる力の向きを変える、ハンドルと、
ｃ）該装置に加えられる力を変換する、該装置と連絡するセンサであって、
ｄ）該柔軟性のある部材および該可動部材は、該複数の軸に沿って該装置に加えられる力を、該センサに単一軸方向の力として直接的に伝送する向きを変えるもの（ｓｈｕｎｔ）として働く、センサと、
ｅ）該ハンドルに取り付けられ、運動中に情報を表示するディスプレイと、
ｆ）該装置内に組み込まれ、該運動のパラメータを扱う制御システムと
を備えている、装置。